(57)【特許請求の範囲】
【請求項１】
不透明な容器本体と、容器本体の口筒部に取着され、上端にノズルヘッドを取着したポンプと、容器本体の胴周壁内に、上昇可能に嵌挿された摺動底板と、容器本体の下端に取着された底蓋とからなる液注出容器であって、
摺動底板は、下端に底板を連設し、ポンプのシリンダー下端部を覆う筒体を具備し、底板下面に設けた係止片に振り子を吊り下げた線材を連設した係止リングを取着しており、
底蓋は、底板と側周壁とからなり、底板には、内面に振り子を挿入する振り子保持筒を立設しており、
振り子保持筒の内面上部には、振り子を係止する係止突起が設けられ、
振り子を吊り下げた線材の長さが、摺動底板が最上昇位置に達する以前に、振り子を引っ張り、振り子が、振り子保持筒の係止突起との係止から外れ、振り子保持筒上端部と係合し、次いで、振り子保持筒との係合が外され、搖動可能とされる長さであることを特徴とする液注出容器。
【発明の詳細な説明】
【技術分野】
【０００１】
本発明は、液注出容器、とくに不透明な容器本体に収納した内容物の残量を確認可能としたポンプ付底上げタイプのクリーム状液注出容器に関するものである。
【背景技術】
【０００２】
不透明な容器本体に内容物を収納したポンプ付底上げタイプのクリーム状液注出容器において、摺動底板が一定の上昇位置に達したときに、摺動底板の下面に装着した球体を落下させ、その状態で容器を振ると、球体が容器内面に衝突して音を発生するようにした容器は、従来より知られている（例えば、特許文献１参照）。
【特許文献１】特開２００２−３２０８８６号公報
【発明の開示】
【発明が解決しようとする課題】
【０００３】
しかしながら、上記特許文献１記載の容器では、摺動底板の球体保持部が、ポンプのシリンダー下端に圧接したときに、球体が落下するようにしており、そのため、内容液が無くなったときはわかるが、内容液が少なくなり、一定の残量となったときを知ることはできなかった。
そのため、新しい容器を求め、それとの交換を準備しておく時期がわからないという問題が生じるおそれがあった。
【０００４】
本発明は、上記問題を解決することを課題とし、遮光のために不透明な容器本体を具えた液注出容器において、内容液の注出時に、内容液が残り少なくなり、一定量の残量となったことを知ることができるようにしたポンプ付底上げタイプのクリーム状液注出容器を提供することを目的とする。
【課題を解決するための手段】
【０００５】
本発明は、上記の課題を解決するため、液注出容器として、不透明な容器本体と、容器本体の口筒部に取着され、上端にノズルヘッドを取着したポンプと、容器本体の胴周壁内に、上昇可能に嵌挿された摺動底板と、容器本体の下端に取着された底蓋とからなる液注出容器であって、摺動底板は、下端に底板を連設し、ポンプのシリンダー下端部を覆う筒体を具備し、底板下面に設けた係止片に振り子を吊り下げた線材を連設した係止リングを取着しており、底蓋は、底板と側周壁とからなり、底板には、内面に振り子を挿入する振り子保持筒を立設しており、振り子保持筒の内面上部には、振り子を係止する係止突起が設けられ、振り子を吊り下げた線材の長さが、摺動底板が最上昇位置に達する以前に、振り子を引っ張り、振り子が、振り子保持筒の係止突起との係止から外れ、振り子保持筒上端部と係合し、次いで、振り子保持筒との係合が外され、搖動可能とされる長さであることを特徴とする構成を採用する。
【発明の効果】
【０００６】
摺動底板の底板下面の係止片に、一定の長さを有する線材によって振り子を吊り下げ，底蓋の底板に係止突起を突設した振り子保持筒を設け、摺動底板が一定の上昇位置になったときに、振り子が振り子保持筒から離れ、係止片を中心に揺動できるようになった。
そして、容器を振ることによって、振り子が容器本体の胴周壁３内面に衝突して音が発生するので、内容液の残量が一定量になったことを知ることができる。
また、線材の長さを変えることによって、確認しようとする残量を調節することができる。
【発明を実施するための最良の形態】
【０００７】
次に、本発明の液注出容器の実施形態について、図面を参照して説明する。
図１において、Ａは容器本体、Ｂは上端にノズルヘッドＣを取着したポンプ、Ｄは摺動底板、Ｅは底蓋である。
容器本体Ａは、不透明な合成樹脂で形成され、内容液として遮光の必要なクリーム状液が収納されている。
【０００８】
容器本体Ａは、口筒部１と肩部２，下端を開放端とした胴周壁３とからなっており、口筒部１には、ねじ４が螺設されている。
胴周壁３下端には、底蓋Ｅの取付部５が形成されている。
【０００９】
ポンプＢは、シリンダー１０とピストン１１を具えており、シリンダー１０は、ねじ４に螺合するねじを螺設し、ガイド筒を具えた取付キャップ１２によって、容器本体Ａの口筒部１に取着されている。
シリンダー１０の下端底面には、吸込弁１３が設けられており、ピストン１１の下端部周面には、ピストン弁１４が配設され、ピストン１１の上下動に応じて、シリンダー室１０ａからピストン１１内に、開口を通じて内容液が圧入するようになっている。
【００１０】
ピストン１１のステム１５には、ノズル１６を設けたノズルヘッドＣが取付筒１７を介して装着されており、ノズルヘッドＣと取付キャップ１２との間には、スプリング１８が弾装されている。
【００１１】
ポンプＢ、ノズルヘッドＣは、ノズルヘッドＣを上下動することによってノズル１６より内容液を吐出できるものであればよく、その構成は、従来より公知のものを採用することができ、前記のポンプ装置に限定されない。
【００１２】
摺動底板Ｄは、胴周壁３内面に摺動自在に嵌挿されるスカート状の弾性周壁２０を連設した環状の傾斜板２１と、該傾斜板２１の内周縁から垂設され、下端に底板２２を連設した筒体２３とからなっている。
傾斜板２１の傾斜角度は、肩部２の傾斜とほぼ一致しており、筒体２３は、ポンプＢのシリンダー１０下部外周を覆う大きさとなっており、ポンプＢによって摺動底板Ｄの上方の内容液は、ほぼ完全に注出される。
【００１３】
底板２２の下面には、下端に膨出環を設けた係止片２４が垂設されており、該係止片２４には、下端に球状の振り子２５を吊り下げた線材２６を連設した係止リング２７が嵌挿係止されている。
振り子２５の形状、大きさ、重さ、材質等は適宜選択できる。
係止リング２７、線材２６、球状の振り子２５は、一体形成されているが、別体として形成、結合してもよい。
【００１４】
底蓋Ｅは、中央部に摺動底板Ｄの底板２２を載置するとともに、振り子２５を挿入する振り子保持筒３０を立設した底板３１と、底板３１の周縁部に立設された側周壁３２とから構成され、振り子保持筒３０の内周には、球状の振り子２５を係止する係止突起３３が等間隔をおいて配設されている。
その位置は、摺動底板Ｄが上昇し、一定の位置に達したときに、球状の振り子２５が、振り子保持筒３０から離れる位置に設けられている。
【００１５】
底板３１には、空気孔３４が穿孔されており、振り子保持筒３０の外周下部には、底板３１との間に複数のリブ３５が設けられ、振り子保持筒３０が強固に支持されるようになっている。
側周壁３２の外周面には、胴周壁３の下端の取付部５に係合する係合部３６が形成されている。
【００１６】
次に、本液注出容器の作用効果について説明する。
本発明の液注出容器には、内容物として、クリーム状液が収納され、ノズルヘッドＣの押下げ操作により、容器本体Ａ内の内容液がポンプＢによって吸上げられ、ノズル１６から吐出される。
【００１７】
内容液の吸上げに応じて容器本体Ａ内が負圧となり、摺動底板Ｄが上昇するとともに、底蓋Ｅの空気孔３４より大気が導入される。
摺動底板Ｄの上昇に応じて、底板２２下面の係止片２４に係合する係止リング２７を通じて線材２６が引上げられ、線材２６が引張られることによって、次いで、振り子２５が引上げられる。
【００１８】
図２に示すように、摺動底板Ｄが一定の位置まで上昇すると、振り子２５は係止突起３３から外れ、係止リング２７から線材２６により吊り下げられた状態となる。
さらに上昇すると、図３に示すように、振り子２５の下端が、振り子保持筒３０の上端に妨げられないように、係止リング２７を中心として揺動可能となる。
この状態で、液注出容器を振ると、振り子２５が容器本体Ａの胴周壁３に衝突して音を発生する。
【００１９】
その際、液注出容器を斜めにして保持している場合は、振り子２５が振り子保持筒３０の上端に衝突したときにかすかに衝突音を発生することがあり、また、大きく傾けて使用している場合に、振り子２５が胴周壁３に衝突して音を発生するので、一定の残量となったことを認識することもできる。
【００２０】
振り子２５が、振り子保持筒３０上端から離れたときが確認できない場合でも、使用者が内容液が残り少なくなったと思ったときに液注出容器を振ると、内容液が一定の残量を超えていると音が出るので、残り少なくなっていることを確認することができ、次の新しい液注出容器を準備しなければならならいことを知ることができる。
【００２１】
確認したい一定量の残量を変えるときには、線材２６の長さ、または振り子保持筒３０の高さを調節することによって、適宜変更することができる。
【産業上の利用可能性】
【００２２】
本発明は、ポンプ付底上げタイプの液注出容器において、摺動底板の上昇に伴い、振り子が底蓋から外れて揺動できるようにしたので、液注出容器を振ったときに、振り子が、容器の胴周壁内面に衝突して音を発生して一定の残量以下になったことを知ることができる。
また、容器本体が不透明の場合効果的であるが、半透明の場合でも利用することができる。
【図面の簡単な説明】
【００２３】
【図１】本発明液注出容器の一部断面立面図である。
【図２】摺動底板が一定位置に上昇したときの一部断面立面図である。
【図３】振り子が振り子保持筒から離れたときの一部断面立面図である。
【符号の説明】
【００２４】
Ａ      容器本体                                         
Ｂ      ポンプ                                         
Ｃ      ノズルヘッド                                      
Ｄ      摺動底板                                          
Ｅ      底蓋                                            
１      口筒部                                           
２      肩部                                            
３      胴周壁                                          
４      ねじ                                            
５      取付部                                          
１０    シリンダー
１０ａ  シリンダー室
１１    ピストン
１２    取付キャップ
１３    吸込弁
１４    ピストン弁
１５    ステム
１６    ノズル
１７    取付筒
１８    スプリング
２０    弾性周壁
２１    傾斜板
２２    底板
２３    筒体
２４    係止片
２５    振り子
２６    線材
２７    係止リング
３０    振り子保持筒
３１    底板
３２    側周壁
３３    係止突起
３４    空気孔
３５    リブ
３６    係合部
【図１】
0004786256.tif 000002
【図２】
0004786256.tif 000003
【図３】
0004786256.tif 000004